【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
１台以上の制御局と前記制御局に同期して動作する１台以上の従属局とで構成された個別無線通信システムを複数備えた無線通信システムであって、
前記制御局は、自己の個別無線通信システムで発生した着信を他の個別無線通信システムに属する制御局に通知する手段と、他の個別無線通信システムに属する制御局より着信が通知されると自己の個別無線通信システムに属する従属局に他の個別無線通信システムでの着信発生を通知する手段を備え、
前記従属局は、複数の個別無線通信システムの制御局と通信する手段を備え、
１つの個別無線通信システムで着信が発生すると該当する個別無線通信システムに属する制御局は、他の個別無線通信システムに属する制御局に着信発生を通知し、前記着信を通知された他の個別無線通信システムに属する制御局は、自己の個別無線通信システムに属する従属局に対し他の個別無線通信システムでの着信発生を通知し、制御局より他の個別無線通信システムでの着信発生を通知された前記従属局は、通知された個別無線通信システムでの着信応答を開始するように動作することを特徴とする無線通信システム。
【請求項２】
１台以上の制御局と前記制御局に同期して動作する１台以上の従属局で構成された個別無線通信システムを複数備えた無線通信システムであって、
前記制御局は、他の個別無線通信システムに属する制御局より着信が報知されたことを検知する手段と、自己の個別無線通信システムに属する従属局に他の個別無線通信システムでの着信発生を通知する手段を備え、
前記従属局は、複数の個別無線通信システムの制御局と通信する手段を備え、
前記制御局は、他の個別無線通信システムに属する制御局より着信が報知されたことを検知すると自己の無線通信システムに属する従属局に対し他の個別無線通信システムでの着信発生を通知し、前記制御局より他の個別無線通信システムでの着信発生を通知された前記従属局は、通知された個別無線通信システムでの着信応答を開始するように動作することを特徴とする無線通信システム。
【請求項３】
前記従属局は、前記制御局より他の個別無線通信システムでの着信発生を通知されると、通知された着信が発生している個別無線通信システムの制御局の受信を開始し、
ユーザへの着信報知を開始することを特徴とする請求項１または２記載の無線通信システム。
【請求項４】
前記従属局は、前記制御局より他の個別無線通信システムでの着信発生を通知されると、該当個別無線通信システムでの着信発生をユーザへ通知し、ユーザ応答操作が行われると、着信が発生している個別無線通信システムの制御局の受信を開始し、着信応答動作を行うことを特徴とする請求項１または２記載の無線通信システム。
【請求項５】
前記個別無線通信システムは個別に異なるサービスを提供し、前記各従属局においては独立したタイミングで着信事象が発生するものであることを特徴とする請求項１〜４のいずれかの項に記載の無線通信システム。
【請求項６】
１台以上の制御局と前記制御局に同期して動作する１台以上の従属局とで構成された個別無線通信システムを複数備えた無線通信システムにおける、前記制御局として動作する無線通信装置であって、
前記制御局として動作する無線通信装置の一方は、自己の個別無線通信システムで発生した着信を他の個別無線通信システムに属する制御局に通知する手段を備え、
前記制御局として動作する無線通信装置の他方は、他の個別無線通信システムに属する制御局より着信が通知されると自己の個別無線通信システムに属する従属局に他の個別無線通信システムでの着信発生を通知する手段を備え、
１つの個別無線通信システムで着信が発生すると該当する個別無線通信システムに属する制御局として動作する無線通信装置は、他の個別無線通信システムに属する制御局に着信発生を通知し、
前記着信を通知された他の個別無線通信システムに属する制御局として動作する無線通信装置は、自己の無線通信システムに属する従属局に対し他の個別無線通信システムでの着信発生を通知するように動作することを特徴とする無線通信装置。
【請求項７】
１台以上の制御局と前記制御局に同期して動作する１台以上の従属局とで構成された個別無線通信システムを複数備えた無線通信システムにおける、前記制御局として動作する無線通信装置であって、
前記制御局として動作する無線通信装置は、他の個別無線通信システムに属する制御局より着信が報知されたことを検知する手段と、自己の個別無線通信システムに属する従属局に他の個別無線通信システムでの着信発生を通知する手段を備え、
前記制御局として動作する無線通信装置は、他の個別無線通信システムに属する制御局より着信が報知されたことを検知すると、自己の無線通信システムに属する従属局に対し他の個別無線通信システムでの着信発生を通知するように動作することを特徴とする無線通信装置。
【請求項８】
１台以上の制御局と前記制御局に同期して動作する１台以上の従属局とで構成された個別無線通信システムを複数備え、１つの個別無線通信システムで着信が発生した場合、他の個別無線通信システムの制御局が自己の個別無線通信システムに属する従属局に他の個別無線通信システムでの着信発生を通知するように動作する無線通信システムの従属局として動作する無線通信装置であって、
前記従属局として動作する無線通信装置は、複数の個別無線通信システムの制御局と通信する手段を備え、受信中の制御局より他の個別無線通信システムでの着信発生が通知されると、通知された個別無線通信システムでの着信応答を開始するように動作することを特徴とする無線通信装置。
【請求項９】
主制御局と従属局から構成される個別無線通信システム、および前記主制御局に同期して動作する副制御局と従属局から構成される個別無線通信システムからなり、前記従属局は、前記主制御局と前記副制御局に同期し双方の制御情報が受信可能である無線通信システムであって、
前記副制御局は前記主制御局が送信する制御情報を受信し、一部の主制御局制御情報を前記従属局へ中継報知する手段を有し、
前記従属局は前記主制御局からの制御情報の受信を停止し、受信再開のための情報を記憶する記憶手段を有し、
待機中の従属局は前記主制御局からの制御情報の受信を停止し、前記主制御局での着信発生時には前記副制御局を通じて前記主制御局着信を検知し、前記記憶手段に記憶された情報をもとに前記主制御局の制御情報受信を再開することで主制御局着信への応答が可能であることを特徴とする無線通信システム。
【請求項１０】
主制御局と従属局から構成される個別無線通信システム、および前記主制御局に同期して動作する副制御局と従属局から構成される個別無線通信システムからなり、前記従属局は、前記主制御局と前記副制御局に同期し双方の制御情報が受信可能である無線通信システムであって、
前記副制御局は前記主制御局が送信する制御情報を受信し、前記従属局が前記主制御局へ同期し受信を開始するための情報を報知する手段と前記主制御局での着信発生を前記従属局へ報知する手段とを有し、
前記従属局は前記主制御局からの制御情報の受信を停止する手段を有し、
待機中の従属局は前記主制御局からの制御情報の受信を停止し、前記主制御局での着信発生時には前記副制御局の報知によって前記主制御局からの着信を検知し、前記副制御局より報知される、前記従属局が前記主制御局へ同期し受信を開始するための情報をもとに前記主制御局の制御情報受信を再開することで主制御局着信への応答が可能であることを特徴とする無線通信システム。
【請求項１１】
主制御局と従属局から構成される個別無線通信システム、および前記主制御局に同期して動作する副制御局と従属局から構成される個別無線通信システムからなり、前記従属局は、前記主制御局と前記副制御局に同期し双方の制御情報が受信可能である無線通信システムであって、
前記副制御局は着信発生時に前記主制御局との間で通信チャネルを確立し着信を通知する手段を有し、
前記主制御局は前記副制御局での着信発生を従属局へ報知する手段を有し、
前記従属局は前記副制御局からの制御情報の受信を停止し、受信再開のための情報を記憶する記憶手段を有し、
待機中の従属局は前記副制御局からの制御情報の受信を停止し、前記副制御局での着信発生時には前記主制御局経由で前記副制御局への着信発生を検知し、前記記憶手段に記憶された情報をもとに前記副制御局の制御情報受信を再開することで前記副制御局着信への応答が可能であることを特徴とする無線通信システム。
【請求項１２】
主制御局と従属局から構成される個別無線通信システム、および前記主制御局に同期して動作する副制御局と従属局から構成される個別無線通信システムからなり、前記従属局は、前記主制御局と前記副制御局に同期し双方の制御情報が受信可能である無線通信システムであって、
前記副制御局は着信発生時に前記主制御局との間で通信チャネルを確立し着信を通知すると共に前記従属局が自局へ同期し受信を開始するための情報を通知する手段を有し、
前記主制御局は前記副制御局での着信発生および前記従属局が前記副制御局へ同期し受信を開始するための情報を制御情報として前記従属局へ報知する手段を有し、
前記従属局は前記副制御局からの制御情報の受信を停止する手段を有し、
待機中の従属局は前記副制御局からの制御情報の受信を停止し、前記副制御局での着信発生時には前記主制御局経由で着信を検知し、前記主制御局経由で入手した副制御局へ同期し受信を開始するための情報をもとに前記副制御局の制御情報受信を再開することで副制御局着信への応答が可能であることを特徴とする無線通信システム。
【請求項１３】
前記従属局は、電池残量管理手段を有し、電池残量が多い時は一方の制御情報受信の停止を行わず、電池残量が一定値以下の場合には一方の制御情報受信停止を行うことを特徴とする請求項１〜５または９〜１２のいずれかの項に記載の無線通信システム。
【請求項１４】
前記従属局は、一方の制御局からの制御情報の受信を停止する手段を有し、受信停止中の制御局での着信発生時には他方の制御局経由で着信を検知し、受信停止している制御局の制御情報受信を再開することなく通信チャネルを確立し着信への応答が可能であることを特徴とする請求項１〜５または９〜１３のいずれかの項に記載の無線通信システム。
【請求項１５】
前記従属局は、一方の制御局からの制御情報の受信を停止する手段を有し、受信停止中の制御局での着信発生時には他方の制御局経由で着信を検知しユーザへ報知を行い、ユーザ応答操作後に受信停止している制御局制御情報の受信を再開することを特徴とする請求項１〜５または９〜１３のいずれかの項に記載の無線通信システム。
【請求項１６】
１台以上の制御局と前記制御局に同期して動作する１台以上の従属局とで構成された個別無線通信システムを複数備えた無線通信システムであって、
第１の個別無線通信システムに属する第１の制御局は、自己の個別無線通信システムで着信が発生すると第１のタイムスロットを使って第２の個別無線通信システムに属する第２の制御局へ着信発生を通知し、
前記第２の制御局は、自己の第２の個別無線通信システムで着信が発生すると第１のタイムスロットとは異なる第２のタイムスロットを使って自己の個別無線通信システムに属する従属局へ着信発生を通知し、第１の制御局より第１の個別無線通信システムで発生した着信が通知された場合は第２のタイムスロットを使って同従属局へ該着信を通知し、
前記従属局は、待機状態では第２のタイムスロットで受信動作を行い、前記第１の制御局および第２の制御局からの着信通知を受信することを特徴とする無線通信システム。
【請求項１７】
前記従属局は、第１の個別無線通信システムでの着信発生を通知されると、第１のタイムスロットでの受信を開始することを特徴とする請求項１６記載の無線通信システム。
【請求項１８】
主制御局および前記主制御局に同期して動作する副制御局と従属局から構成される個別無線通信システムからなり、前記従属局は、前記主制御局と前記副制御局に同期し双方の制御情報が受信可能である無線通信システムであって、
前記主制御局は第１のタイムスロットを使って制御情報を送信し、
前記副制御局は第２のタイムスロットを使って制御情報を送信し、
前記副制御局は、前記主制御局が第１のタイムスロットを使って送信する制御情報を受信して該制御情報の一部を前記従属局へ中継報知する手段と、自己の個別無線通信システムで着信が発生すると第１のタイムスロットとは異なる第２のタイムスロットを使って自己の個別無線通信システムに属する従属局へ着信発生を通知する手段とを有し、
前記従属局は、待機中に第１のタイムスロットでの受信を停止している間に受信再開のための情報を記憶する記憶手段を有し、
待機中の従属局は前記主制御局から第１のタイムスロットを使って送られる制御情報を受信せず、前記副制御局を介して第２のタイムスロットを使って転送されてくる前記主制御局からの着信を検知すると、前記記憶手段に記憶された情報をもとに前記主制御局から第１のタイムスロットで送られる制御情報受信を再開することを特徴とする無線通信システム。
【請求項１９】
制御局と、前記制御局に同期して動作する従属局とで構成され、個別無線通信システムを形成する無線通信装置であって、
前記制御局は、第１のタイムスロットを使って他の個別無線通信システムの他の制御局から送られる制御信号を受信し、該制御信号に載せて送られてくる前記他の制御局からの着信発生の通知を受信すると、第１のタイムスロットとは異なる第２のタイムスロットを使って前記従属局へ該着信を通知するとともに、自己の個別無線通信システムで着信が発生すると第２のタイムスロットを使って前記従属局へ着信発生を通知する手段を備え、
前記従属局は、待機状態では第２のタイムスロットで受信動作を行い、第２のタイムスロットにおいて受信した前記制御局および前記他の制御局からの着信通知を受信する手段を備えたことを特徴とする無線通信装置。
【請求項２０】
前記従属局は、他の個別無線通信システムでの着信発生を通知されると、第１のタイムスロットでの受信を開始することを特徴とする請求項１９記載の無線通信装置。